(57)【要約】      （修正有）【課題】スポットライトそのものを全部取り替えることなく、照射範囲とねじり角度を自由に変更可能なスポットライトを提供する。【解決手段】光源５とそこから発する光を放出する開口とを有するスポットライト本体１と光を集束して外方に放射する筒状のレンズユニット２１とを用意する。スポットライト本体は、開口にストッパー１１及びそれを出し入れする可動部１０からなる係合構造体１５を有しており、レンズユニットは、開口に進入する進入部２７及びその円周面に周設した溝２８からなる接続部材２４を有する。スポットライト本体の開口に、レンズユニットの接続部材を進入させて一体化し、さらに係合構造体のストッパーを接続部材の溝に係合させることにより、スポットライト本体とレンズユニットとが任意の角度に回転可能に一体化・係合されたスポットライト３１が得られる。【選択図】図７
0003196908.tif 000002
【実用新案登録請求の範囲】
【請求項１】
光源及びそこから発する光を外方へ放出する開口部を有するスポットライト本体と、前記光を集束して外方に放射する筒状のレンズユニットとを、該レンズユニットに取り付けた接続部材を介して一体可能にしたスポットライトにおいて、
前記開口部に接続部材を嵌合させたとき、両者を係合可能にする係合構造体を有することを特徴とするスポットライト。
【請求項２】
前記スポットライト本体とレンズユニットとが、前記光の進行方向を回転中心とした相対的に任意の角度を設定して係合可能となっている請求項１に記載のスポットライト。
【請求項３】
前記接続部材が、前記レンズユニットに設けられた進入部と前記進入部の外周面に周設された円環状の溝とからなる請求項１に記載のスポットライト。
【請求項４】
前記係合構造体が、前記溝に出し入れ可能に前記スポットライト本体に設置された２個以上のストッパーからなる請求項３に記載のスポットライト。
【考案の詳細な説明】
【技術分野】
【０００１】
本考案は、スポットライト本体とレンズユニットとを一体化させてなるスポットライト、特に一体化させるための構造に関する。
【背景技術】
【０００２】
現在、ショーウインドウや博物館、舞台、スタジオ等の様々な場所で、展示物や壁面等を照らすためにスポットライトが使用されており、そのスポットライトの投光方向や角度を自由に変えられることが求められている。
【０００３】
従来、スポットライトは、反射ミラー型スポットライト、ピンスポットライト、ウォールウォッシャーライト等のように、１個の照明装置につき１つの機能を持つように設計・製造され、レンズや反射板等の部品は固定されている。例えば、図１５に示す特許文献１に記載のスポットライト５１は、レンズ５２を固定する際、スポットライト本体５３の端部に設けたネジ山５４と固定器具５５に設けたネジ山５６とを噛み合わせて前記固定器具５５をねじ込み、前記スポットライト本体５３と固定器具５５とで挟んで固定する構造、すなわちボルトとナットの構造を利用して一体化させる方法が一般的である。
【０００４】
このような方法でスポットライト本体とレンズユニットとを固定すると、このスポットライトが照らすことのできる範囲（照射範囲）は当然に一定に固定される。そのため、照射範囲を変更しようとする場合、スポットライトの設置箇所を移動させる、スポットライトそのものを別のスポットライトに変更する等の必要があり、調整が煩雑となる。
【０００５】
また、従来のスポットライトは、図１６に示すように、例えば、ウォールウォッシャー型のスポットライト５１ａを壁、床、天井等の設置面５７に設置する際、左右方向の首ふり角及び上下方向の仰角又は伏角を自由に設定できる設置用のアーム５８によって固定していたが、その構造上、使用者は、ねじり方向のねじり角度を設定できない。そのため、ねじり角度を設定しようとすると、設置面にねじり方向の傾斜をつけなければならず、調整が煩雑であった。ここで、ねじり方向とは、同図に示すように、スポットライト本体５１ａの光源から発する光の進行方向５９を回転中心とした回転方向６０を意味し、ねじり角度とは、この時の回転角度を意味する。
【０００６】
また、図１７に示すピンスポットライト６１の場合、羽６２を動かして、光の一部を遮断するためのカッター６３の位置を調整して、前記ピンスポットライト６１から放出される光の形状を円形から多角形に変形させることができるが、前記羽６２は前記ピンスポットライト６１の上下左右の位置からねじり方向に回動させることはできず、また、一般に前記スポットライト５１ａと同様の方法にて設置されるため、前記ピンスポットライト６１をねじり方向に容易に回動させることもできない。
【０００７】
この問題に対して、図１８に示す特許文献２のスポットライト７１では、直方体型のスポットライト本体７２の外周部に溝７３を設け、この溝７３にアーム７４を固定するという構造により、スポットライト本体７２の縦横の配置を可変、すなわち９０度単位でねじり方向に回転させて設置できるようにしてねじり角度を変更可能にしたが、ねじり角度を変更するにはアーム７４からスポットライト本体７２を一旦外す必要があり、また、細かくねじり角度を調整することはできなかった。
【先行技術文献】
【特許文献】
【０００８】
【特許文献１】特開２０１３−１３８０３２号公報
【特許文献２】特開２００９−４２７６号公報
【考案の概要】
【考案が解決しようとする課題】
【０００９】
したがって、本考案が解決しようとする課題は、スポットライトそのものを全部取り替えることなく、照射範囲を任意の広さ及び／又はねじり角度に変更可能なスポットライトを得ることにある。
【課題を解決するための手段】
【００１０】
そこで、本考案は、前記課題を解決するために、光源及びそこから発する光を外方へ放出する開口部を有するスポットライト本体と、前記光を集束して外方に放射する筒状のレンズユニットとを、該レンズユニットに取り付けた接続部材を介して一体可能にしたスポットライトにおいて、前記開口部に接続部材を嵌合させたとき、両者を係合可能にする係合構造体を有することを特徴とするスポットライトとする構造を採用する。
【００１１】
この構造により、本考案は、スポットライト本体とレンズユニットとを容易に一体化することが可能になる。
【００１２】
さらに、本考案は、前記スポットライト本体とレンズユニットとが、前記光の進行方向を回転中心とした相対的に任意の角度を設定して係合可能となっているスポットライトを採用する。
【００１３】
これにより、本考案は、設置面や設置用のアーム等の角度に関係なく、スポットライトの照射範囲を任意のねじり角度に回動させることが可能になる。
【００１４】
さらに、本考案は、前記接続部材が、前記レンズユニットに設けられた進入部と前記進入部の外周面に周設された円環状の溝とからなるスポットライトを採用する。
【００１５】
この構造により、本考案は、スポットライト本体に対してレンズユニットを任意のねじり角度に回動させることが可能になる。
【００１６】
さらに、本考案は、前記係合構造体が、前記溝に出し入れ可能に前記スポットライト本体に設置された２個以上のストッパーからなるスポットライトを採用する。
【００１７】
この構造により、本考案は、スポットライト本体とレンズユニットとを任意のねじれ角にて一体化させたとき、ストッパーがレンズユニットの接続部材に係合され、スポットライト本体からレンズユニットが抜けなくなる。
【考案の効果】
【００１８】
上記の構造を採用することにより、本考案は次に述べる効果を発揮する。すなわち、前記スポットライト本体とレンズユニットとが、該レンズユニットに取り付けられた接続部材を介して一体化されることにより、同一形状の前記接続部材を有する前記レンズユニットを複数個、例えば、反射ミラー型スポットライト、ウォールウォッシャーライト、ピンスポットライト等の機能を持つレンズユニットに交換するだけで、スポットライトそのものを取り換えることなく、容易に照射範囲を変更することができる
【００１９】
さらに、前記接続部材及び係合構造体を上記の構造とすることにより、前記スポットライト本体とレンズユニットとが、任意のねじれ角にて一体化させることが可能になるため、スポットライトの照射範囲を任意のねじれ角に設定することが可能になる。
【図面の簡単な説明】
【００２０】
【図１】本発明に係るスポットライト本体の本体胴部を示す斜視図である。
【図２】本発明に係るスポットライト本体を示す部分破断組立図である。
【図３】本発明に係るレンズユニットの一例を示す部分破断斜視図である。
【図４】本発明に係るスポットライト本体とレンズユニットとの一体化前の状態を示す部分破断斜視図である。
【図５】本発明に係るスポットライト本体とレンズユニットとの一体化後、係合前の状態を示す部分破断斜視図である。
【図６】図５に示すＡ部の拡大図である。
【図７】本発明に係るスポットライト本体とレンズユニットとの係合後の状態を示す部分破断斜視図である。
【図８】図７に示すＢ部の拡大図である。
【図９】本発明に係るスポットライト本体とレンズユニットとの係合前の状態を示す正面断面図である。
【図１０】図９に示すＣ部の拡大図である。
【図１１】本発明に係るスポットライト本体とレンズユニットとの係合途中の状態を示す正面断面図である。
【図１２】図１１に示すＤ部の拡大図である。
【図１３】本発明に係るスポットライト本体とレンズユニットとの係合後の状態を示す正面断面図である。
【図１４】図１３に示すＥ部の拡大図である。
【図１５】従来のスポットライトにおけるレンズの固定方法を示す側面断面図である。
【図１６】ウォールウォッシャー型スポットライトの設置方法を示す斜視図である。
【図１７】従来のピンスポット型スポットライトの構造を示す断面図である。
【図１８】特許文献２に記載のスポットライトを示す斜視図である。
【考案を実施するための形態】
【００２１】
本考案を実施するための形態について、図面を用いて説明する。
【００２２】
まず、図１に示すスポットライト本体１を用意する。スポットライト本体１は、略円柱形の本体胴部２と一方の端面３に開口４とを有し、前記開口４の内部には光源５が設置されている。光源５としては、蛍光灯、白熱電球、ＬＥＤなどの公知の光源を使用できるが、好ましくは、ＬＥＤを用いられる。さらに、前記開口４には、後述する可動部をはめ込むための段差６と、可動部のツマミを挿入するための前記本体胴部２の表面から開口４に向かって貫通する穴７と、後述するストッパーの軸を受けるためのガイド溝８ａとが設けられている。
【００２３】
次に、図２に示すように、前記本体胴部２に、穴７からツマミ９を挿入し、さらにリング状の可動部１０を段差６にはめ込んで、ツマミ９と可動部１０とを固定する。可動部１０にはストッパー１１の軸１２を通すためのガイド孔１３が、ストッパー１１と同じ数だけ設けられている。このガイド孔１３は、可動部１０の接線に対して一定の角度で斜めに設けられている。このガイド孔１３とガイド溝８ａとが重なった部分に前記軸１２を通してストッパー１１を設置する。さらに、本体胴部２のガイド溝８ａと同様のガイド溝８ｂを有するリング状の本体蓋１４を本体胴部２に固定することにより、係合構造体１５となり、スポットライト本体１が完成する。
【００２４】
次に、レンズユニットを用意する。レンズユニットは、目的に応じて反射ミラー型、ウォールウォッシャー型、ピンスポット型等から１つを選ぶことができるが、ここではウォールウォッシャー型を用いて説明する。
【００２５】
図３に示すウォールウォッシャー型のレンズユニット２１を用意する。このレンズユニット２１は、円筒を斜めに切断した形状のレンズユニット胴体２２と、一方の端面２３に設けられた接続部材２４と、光源から放出される光を集束させて放出する反射鏡２５と、前記反射鏡で収束させた光をさらに特定の方向に反射させる反射板２６とからなり、前記接続部材２４は、進入部２７とその円周面２７ａに周設された溝２８とからなる。
【００２６】
次に、前記スポットライト本体１とレンズユニット２１とを一体化させる方法について説明する。まず、図４に示すように、スポットライト本体１のストッパー１１を本体胴部２の中に完全に隠れる状態（以下、この状態を、「ストッパーが開いた状態」という。）にし、開口４にレンズユニット２１の接続部材２４を、図５に示すように挿入する。このとき、ストッパー１１の周辺は図６に示すような状態となる。
【００２７】
次に、ツマミ９を動かして、可動部１０を回動させて、図７及び図８に示すように、ストッパー１１を接続部材１８の溝２８に係合させる。ここで、ストッパーの動きを詳細に説明するため、ストッパー１１が開いた状態の正面からの断面図を図９及び図１０に示す。この状態からツマミ９を矢印Ｙのように時計回りに回動させると、図１１及び図１２に示すように、ツマミ９に連動して可動部１０及びガイド孔１３が回動する。
【００２８】
すると、前記ガイド孔１３が斜めに設けられているため、ガイド孔１３とガイド溝８ａとが重なってなる空間１３ａは、開口４の内側に向かって相対的に移動する。その結果、ストッパー１１は、空間１３ａの移動に伴って、開口４の内側に向かってスライドする。
【００２９】
この状態からさらにツマミ９を回動させると、空間１３ａがさらに開口４の内側に向かって相対的に移動し、それに連動してストッパー１１が移動し、図１３及び１４に示すように、ストッパー１１は突出部１１ａの分だけ溝２８の内部に突出する（以下、このときのストッパーの状態を、「ストッパーが閉じた状態」という。）。こうして係合構造体１５と接続部材２４とが係合されるため、スポットライト本体１からレンズユニット２１が抜けなくなる。以上の手順により、図７に示すスポットライト３１が完成する。
【００３０】
このとき、スポットライト本体１とレンズユニット２１とは、ストッパー１１が、進入部２７に周設された溝２８に係合して一体化しているため、レンズユニット２１をねじり方向に回動させると、相対的に見ればストッパー１１が、溝２８に沿ってスポットライト本体１とレンズユニット２１とが係合されたまま回動する。これにより、従来のスポットライトと同様の設置方法で設置を行った場合であっても、一体化する前から係合した後に至るまでの任意の時点において、ねじり方向に対して自由にねじり角度を設定することができる。
【００３１】
また、ツマミ９を回動させて、ストッパー１１が閉じた状態から開いた状態にすることにより、スポットライト本体を設置したままの状態であっても、上記と逆の手順でレンズユニット２１のみを取り外すことができる。さらに、本発明に係るレンズユニットは、前記レンズユニット２１と同じ接続部材２４を有しているため、スポットライト本体から放出される光を集束させる構造がピンスポット型や反射ミラー型等のように異なっていても、上記と同様の手順でスポットライト本体１と一体化及び取り外しを行うことができ、さらに当然に、ウォールウォッシャー型のレンズユニット２１と同様に、任意の時点で任意のねじり角度にて一体化及び係合させることができる。
【産業上の利用可能性】
【００３２】
本考案に係るスポットライトは、簡便かつ効率的に、特定の形状の照射範囲の照明装置を必要とする分野に対して、幅広く利用できる。
【符号の説明】
【００３３】
１：スポットライト本体、
２：本体胴部、
３：端面、
４：開口、
５：光源、
６：段差、
７：穴、
８ａ、８ｂ：ガイド溝、
９：ツマミ、
１０：可動部、
１１：ストッパー、
１１ａ：突出部、
１２：軸、
１３：ガイド孔、
１３ａ：空間
１４：本体蓋、
１５：係合構造体、
２１：レンズユニット、
２２：レンズユニット胴体、
２３：端面、
２４：接続部材、
２４ａ：円周面、
２５：反射鏡、
２６：反射板、
２７：進入部、
２７ａ：円周面、
２８：溝、
３１：スポットライト、
５１、５１ａ：スポットライト、
５２：レンズ、
５３：スポットライト本体、
５４：ネジ山、
５５：固定器具、
５６：ネジ山、
５７：設置面、
５８：アーム、
５９：進行方向、
６０：回転方向、
６１：ピンスポットライト、
６２：羽、
６３：カッター、
７１：スポットライト、
７２：スポットライト本体、
７３：溝、
７４：アーム
Ｙ：矢印。
【図１】
0003196908.tif 000003
【図２】
0003196908.tif 000004
【図３】
0003196908.tif 000005
【図４】
0003196908.tif 000006
【図５】
0003196908.tif 000007
【図６】
0003196908.tif 000008
【図７】
0003196908.tif 000009
【図８】
0003196908.tif 000010
【図９】
0003196908.tif 000011
【図１０】
0003196908.tif 000012
【図１１】
0003196908.tif 000013
【図１２】
0003196908.tif 000014
【図１３】
0003196908.tif 000015
【図１４】
0003196908.tif 000016
【図１５】
0003196908.tif 000017
【図１６】
0003196908.tif 000018
【図１７】
0003196908.tif 000019
【図１８】
0003196908.tif 000020